(57)【要約】【課題】マイクロフォンユニットの取り付けおよび取り出し作業が容易であり、かつ周囲の雑音に対する遮音性を確保することができるマイクロフォンユニットの取り付け構造を提供する。【解決手段】弾性の封止部材１０ｂを外周に有するマイクロフォン１０ａが一方の端面に貼り付けられた柱状のホルダ６と、機器１に形成された集音孔４の周囲に立設され、ホルダ６で機器１にマイクロフォンユニット１０を取り付ける際に、封止部材１０ｂが圧縮された状態でマイクロフォン１０ａが嵌合される嵌合用リブ９ａとを備える。【選択図】図８
2014204283.tif 000002
【特許請求の範囲】
【請求項１】
マイクロフォンおよびその集音面の背面側に接続された配線を備えて構成されたマイクロフォンユニットを取り付け対象の機器に取り付けるマイクロフォンユニットの取り付け構造において、
弾性の封止部材を外周に有する前記マイクロフォンが一方の端面に貼り付けられた柱状のホルダと、
前記機器に形成された集音孔の周囲に立設され、前記ホルダで前記機器に前記マイクロフォンユニットを取り付ける際に、前記封止部材が圧縮された状態で前記マイクロフォンが嵌合される嵌合用リブとを備えたことを特徴とするマイクロフォンユニットの取り付け構造。
【請求項２】
前記ホルダの高さ方向に沿って形成されたホルダ側位置決め用リブと、
前記機器側に形成され、前記ホルダ側位置決め用リブと係合して前記ホルダに貼り付けられた前記マイクロフォンと前記嵌合用リブとを位置決めする機器側位置決め用リブとを備えたことを特徴とする請求項１記載のマイクロフォンユニットの取り付け構造。
【請求項３】
前記ホルダに形成され、前記マイクロフォンの前記配線を複数の方向に屈曲させて保持する配線保持部を備えたことを特徴とする請求項１または請求項２記載のマイクロフォンユニットの取り付け構造。
【発明の詳細な説明】
【技術分野】
【０００１】
この発明は、意匠部品に内蔵されるマイクロフォンユニットの取り付け構造に関する。
【背景技術】
【０００２】
例えば、特許文献１には、集音部およびその電極に接続された配線からなるマイクロフォンユニットを第１のホルダに保持し、これをキャップで密封してフレーム（意匠部品）に形成された円筒状の第２のホルダに圧入するマイクロフォンユニットの取り付け構造が開示されている。
【先行技術文献】
【特許文献】
【０００３】
【特許文献１】実公昭６１−１９７７８９号公報
【発明の概要】
【発明が解決しようとする課題】
【０００４】
特許文献１に代表される従来の技術では、第１のホルダでキャップを接着または超音波溶着で取り付けるため、第１のホルダに収納してしまうと、内部のマイクロフォンユニットを容易に取り出すことができない。このため、マイクロフォンユニットに故障などの不具合が生じると、第１のホルダごと交換しなければならず、また、第２のホルダから第１のホルダを取り出せない場合には、フレーム自体を交換しなければならない。
【０００５】
この発明は、上記のような課題を解決するためになされたもので、マイクロフォンユニットの取り付けおよび取り出し作業が容易であり、かつ周囲の雑音に対する遮音性を確保することができるマイクロフォンユニットの取り付け構造を得ることを目的とする。
【課題を解決するための手段】
【０００６】
この発明に係るマイクロフォンユニットの取り付け構造は、マイクロフォンおよびその集音面の背面側に接続された配線を備えて構成されたマイクロフォンユニットを取り付け対象の機器に取り付けるマイクロフォンユニットの取り付け構造において、弾性の封止部材を外周に有するマイクロフォンが一方の端面に貼り付けられた柱状のホルダと、機器に形成された集音孔の周囲に立設され、ホルダで機器にマイクロフォンユニットを取り付ける際に、封止部材が圧縮された状態でマイクロフォンが嵌合される嵌合用リブとを備えたことを特徴とする。
【発明の効果】
【０００７】
この発明によれば、マイクロフォンユニットの取り付けおよび取り出し作業が容易であり、かつ周囲の雑音に対する遮音性を確保することができるという効果がある。
【図面の簡単な説明】
【０００８】
【図１】この発明に係るマイクロフォンユニットの取り付け構造を適用した機器を示す正面図である。
【図２】図１の機器における意匠パネルの裏面構成を示す図である。
【図３】実施の形態１に係るマイクロフォンユニットの取り付け構造の分解斜視図である。
【図４】実施の形態１におけるホルダを示す斜視図である。
【図５】実施の形態１における配線保持部による配線の引き回しを示す図である。
【図６】実施の形態１における意匠パネル側の構造を示す図である。
【図７】実施の形態１に係るマイクロフォンユニットの取り付け構造を示す斜視図である。
【図８】実施の形態１に係るマイクロフォンユニットの取り付け構造を示す断面図である。
【発明を実施するための形態】
【０００９】
実施の形態１．
図１は、この発明に係るマイクロフォンユニットの取り付け構造を適用した機器を示す正面図である。また、図２は図１の機器における意匠パネルの裏面構成を示す図である。
図１の機器１は、例えば、車両のインストルメントパネルに搭載されるナビゲーション装置である。意匠パネル２には、表示モニタ３が配置され、車室内の音声を集音するための集音孔４が形成されている。図２に示すように、意匠パネル２の裏面の集音孔４に対応する位置には、この発明に係るマイクロフォンユニットの取り付け構造５が設けられる。
【００１０】
図３は、実施の形態１に係るマイクロフォンユニットの取り付け構造の分解斜視図である。図３に示すように、取り付け構造５は、ホルダ６、意匠パネル２の裏面に形成されたホルダ受け部９、マイクロフォンユニット１０および両面貼り付け部材１１を備えて構成される。マイクロフォンユニット１０は、外周に弾性の封止部材１０ｂを有するマイクロフォン１０ａ、およびマイクロフォン１０ａの集音面の背面側に接続する配線７を備えており、配線７の端部にはコネクタ８が接続されている。
【００１１】
マイクロフォン１０ａの外周に設けた封止部材１０ｂは、ゴムなどの弾性材で形成されており、図３のようにマイクロフォン１０ａの外径方向に突出した鍔形状を有している。
また、マイクロフォン１０ａは、両面テープなどの両面貼り付け部材１１で柱状のホルダ６の一方の端面に貼り付けられる。なお、マイクロフォン１０ａは、両面貼り付け部材１１によってホルダ６から適宜取り外せる程度に貼り付けられていればよい。
【００１２】
図４は、実施の形態１におけるホルダを示す斜視図である。ホルダ６は、樹脂製ホルダであり、図４に示すように、基部６ａ、円柱状部６ｂ、配線保持部６ｄ−１，６ｄ−２，６ｄ−３，６ｄ−４および位置決め用リブ６ｅ−１，６ｅ−２が一体に形成されている。
基部６ａは、円柱状部６ｂが立設された平板状部材であり、その端部にねじ止め穴６ｆが形成されている。なお、図４のように、円柱状部６ｂにおける位置決め用リブ６ｅ−１，６ｅ−２の基部の周辺には、高さ方向に沿って平行な平面部である当たり面が形成されている。
【００１３】
円柱状部６ｂの基部６ａから離間した端面には、凹部６ｃおよびガイド部６ｂが形成されている。また、位置決め用リブ６ｅ−１，６ｅ−２は円柱状部６ｂの高さ方向に沿って形成されたホルダ側位置決め用リブである。
マイクロフォン１０ａは、両面貼り付け部材１１を介して凹部６ｃに貼り付けられる。凹部６ｃに貼り付けられたマイクロフォン１０ａの配線７は、ガイド部６ｄに沿って外側に導かれる。
【００１４】
ガイド部６ｄで外側に導かれた配線７は、配線保持部６ｄ−１，６ｄ−２，６ｄ−３，６ｄ−４によって複数の方向に屈曲されて保持される。
図５は、実施の形態１における配線保持部による配線の引き回しを示す図であり、図５（ａ）は、マイクロフォンユニット１０をホルダ６に取り付けた構造体を配線保持部６ｄ−１，６ｄ−２，６ｄ−３，６ｄ−４側からみた斜視図であり、図５（ｂ）は、図５（ａ）中の矢印ａ方向の矢示図、図５（ｃ）は、図５（ａ）中の矢印ｂ方向の矢示図、図５（ｄ）は、図５（ａ）中の矢印ｃ方向の矢示図である。
【００１５】
図５（ａ）に示すように、ガイド部６ｄで外側に導かれた配線７は、まず、配線保持部６ｄ−１，６ｄ−２によって円柱状部６ｂの高さ方向に沿って基部６ａ側に屈曲される。
続いて、配線７は、図５（ｂ）に示すように、配線保持部６ｄ−３によって位置決め用リブ６ｅ−１側に屈曲されてから、配線保持部６ｄ−４によってその逆方向に屈曲されて保持される。
【００１６】
前述した特許文献１では、配線の保持部をできるだけ長めにして配線を圧入することで配線の断線を防ぐ工夫をしている。しかしながら、マイクロフォンと配線とのはんだ付け接合部に引っ張り方向の荷重が直接加わる構造であるため、はんだ付け接合部が剥離する可能性がある。
【００１７】
これに対して、この発明では、図５に示すように複数の方向に配線７を屈曲させて保持することで、配線７のコネクタ８を設けた側に引っ張り方向の荷重が加わっても配線保持部６ｄ−４などに応力がかかるため、マイクロフォン１０ａと配線７とのはんだ付け接合部に引っ張り方向の荷重が直接加わることはない。これにより、配線７の引っ張りによりはんだ付け接合部が剥離することを防止できる。
【００１８】
図６は、実施の形態１における意匠パネル側の構造を示す図であって、意匠パネル２の裏面に形成されたホルダ受け部９を正面から見た図である。図６に示すように、ホルダ受け部９として、嵌合用リブ９ａ、位置決め用リブ９ｂ−１，９ｂ−２、位置決め用リブ９ｃ−１，９ｃ−２およびねじ穴部９ｄが意匠パネル２と一体に形成される。
【００１９】
嵌合用リブ９ａは、意匠パネル２を貫通する集音孔４の周囲に立設され、マイクロフォン１０ａが嵌合される。なお、嵌合用リブ９ａの高さは、マイクロフォン１０ａの集音面と集音孔４とをなるべく近づけたいため、できる限り低い方がよいが、少なくともマイクロフォン１０ａの外周に設けた封止部材１０ｂを圧縮嵌合できる高さが必要である。
すなわち、封止部材１０ｂの鍔状に突出した部分の外径は嵌合用リブ９ａの開口径より大きいため、嵌合用リブ９ａは、この封止部材１０ｂの鍔状に突出した部分が嵌合できる高さであればよい。
【００２０】
位置決め用リブ９ｂ−１，９ｂ−２は、図６に示すように、嵌合用リブ９ａに隣接した壁面から突出するように取り付け方向に沿って形成された機器側位置決め用リブであり、ホルダ６の位置決め用リブ６ｅ−１と係合する。
また、位置決め用リブ９ｃ−１，９ｃ−２は、位置決め用リブ９ｂ−１，９ｂ−２と直交する方向でかつ取り付け方向に沿って形成された機器側位置決め用リブであり、ホルダ６の位置決め用リブ６ｅ−２と係合する。
ねじ穴部９ｄは、ホルダ６に貼り付けられたマイクロフォン１０ａをホルダ受け部９に取り付けた際に、基部６ａのねじ止め穴６ｆを通してホルダ６をねじ止めするためのねじ穴である。
【００２１】
図７は、実施の形態１に係るマイクロフォンユニットの取り付け構造を示す斜視図である。また、図８は、実施の形態１に係るマイクロフォンユニットの取り付け構造を示す断面図であり、図８（ａ）は、図７のＡ−Ａ線で切った断面の矢示図、図８（ｂ）は、図７のＢ−Ｂ線で切った断面の矢示図である。図７に示すように、マイクロフォン１０ａは、ホルダ６を介してホルダ受け部９に取り付けられる。
このとき、図８（ａ）に示すように、マイクロフォン１０ａは、封止部材１０ｂが圧縮された状態で嵌合用リブ９ａに嵌合される。すなわち、封止部材１０ｂの鍔状に突出した部分が嵌合用リブ９ａの内壁に圧接して、マイクロフォン１０ａの集音面とその背面側とが隔離される。このようにすることで、背面側から流入する周囲の雑音（騒音）に対する遮音性を確保することが可能である。
【００２２】
ホルダ６の位置決め用リブ６ｅ−１は、図８（ｂ）に示すように、位置決め用リブ９ｂ−１と位置決め用リブ９ｂ−２との間に嵌め込まれる。このとき、位置決め用リブ９ｂ−１，９ｂ−２の各端面がホルダ６の円柱状部６ｂの上記当たり面に当接することにより、ホルダ６の矢印ｄ１方向の動きが規制されて位置決めされる。
また、ホルダ６の位置決め用リブ６ｅ−２は、図８（ｂ）に示すように、位置決め用リブ９ｃ−１と位置決め用リブ９ｃ−２との間に嵌め込まれる。このとき、位置決め用リブ９ｃ−１，９ｃ−２の各端面が位置決め用リブ６ｅ−２の両側面に当接することにより、ホルダ６の矢印ｄ２方向の動きが規制されて位置決めされる。また、位置決め用リブ９ｃ−１，９ｃ−２の各側面がホルダ６の円柱上部６ｂの上記当たり面に当接する。
このように構成することで、ホルダ６の端面のマイクロフォン１０ａと嵌合用リブ９ａとの位置ずれを防止することができる。
【００２３】
図７に示すように、マイクロフォンユニット１０をホルダ６に取り付けた構造体をホルダ受け部９に取り付けた状態で、ねじ止め穴６ｆを通してねじ（不図示）をねじ穴部９ｄにねじ止めすることにより、ホルダ６がホルダ受け部９に固定される。
【００２４】
以上のように、この実施の形態１によれば、弾性の封止部材１０ｂを外周に有するマイクロフォン１０ａが一方の端面に貼り付けられた柱状のホルダ６と、機器１に形成された集音孔４の周囲に立設され、ホルダ６で機器１にマイクロフォンユニット１０を取り付ける際に、封止部材１０ｂが圧縮された状態でマイクロフォン１０ａが嵌合される嵌合用リブ９ａとを備える。このように構成することで、ホルダ６を介してマイクロフォンユニット１０の取り付けおよび取り出し作業が容易である。さらに、封止部材１０ｂが圧縮された状態でマイクロフォン１０ａが嵌合されるので、背面側から流入する周囲の雑音に対する遮音性を確保することができる。
【００２５】
また、この実施の形態１によれば、ホルダ６の高さ方向に沿って形成されたホルダ側位置決め用リブ６ｅ−１，６ｅ−２と、機器１側に形成され、ホルダ側位置決め用リブ６ｅ−１，６ｅ−２と係合してホルダ６に貼り付けられたマイクロフォン１０ａと嵌合用リブ９ａとを位置決めする機器側位置決め用リブ９ｂ−１，９ｂ−２，９ｃ−１とを備える。このように構成することで、ホルダ６の端面のマイクロフォン１０ａと嵌合用リブ９ａとの位置ずれを防止することができる。
【００２６】
さらに、この実施の形態１によれば、ホルダ６に形成され、マイクロフォン１０ａの配線７を複数の方向に屈曲させて保持する配線保持部６ｄ−１，６ｄ−２，６ｄ−３を備える。このように構成することで、マイクロフォン１０ａと配線７とのはんだ付け接合部に引っ張り方向の荷重が直接加わることがないため、配線７の引っ張りによりはんだ付け接合部が剥離することを防止できる。
【００２７】
なお、本発明はその発明の範囲内において、実施の形態の任意の構成要素の変形、もしくは実施の形態の任意の構成要素の省略が可能である。
【符号の説明】
【００２８】
１  機器、２  意匠パネル、３  表示モニタ、４  集音孔、５  マイクロフォンユニットの取り付け構造、６  ホルダ、６ａ  基部、６ｂ  円柱状部、６ｃ  凹部、６ｄ  ガイド部、６ｄ−１，６ｄ−２，６ｄ−３，６ｄ−４  配線保持部、６ｅ−１，６ｅ−２  位置決め用リブ（ホルダ側位置決め用リブ）、６ｆ  ねじ止め穴、７  配線、８  コネクタ、９  ホルダ受け部、９ａ  嵌合用リブ、９ｂ−１，９ｂ−２，９ｃ−１，９ｃ−２  位置決め用リブ（機器側位置決め用リブ）、９ｄ  ねじ穴部、１０  マイクロフォンユニット、１０ａ  マイクロフォン、１０ｂ  封止部材、１１  両面貼り付け部材。
【図１】
2014204283.tif 000003
【図２】
2014204283.tif 000004
【図３】
2014204283.tif 000005
【図４】
2014204283.tif 000006
【図５】
2014204283.tif 000007
【図６】
2014204283.tif 000008
【図７】
2014204283.tif 000009
【図８】
2014204283.tif 000010